(57)【要約】【課題】本発明の目的は、誤動作が少なく、かつ経済性、信頼性に優れた呼び出し用釦を備えたエレベータかご内の通話装置を提供することにある。【解決手段】収縮手段２４が、前記非常用押し釦１３とかご内通話装置２２との間に設けられ、前記非常用押し釦の押圧速度が一定速度以下の緩速度の場合のみ前記非常用押し釦１３の釦側接触子２５ａ，２５ｂと通話装置側接触子２６ａ，２６ｂとが接触するよう構成している。  従って、誤って瞬時のみ非常用押し釦１３に触れた場合には、前記収縮手段２４により、両接触子２５ａ，２５ｂと２６ａ，２６ｂとの接触を防止し外部通話装置１５との通信回線１４を接続しないように構成したため、誤動作が少なく、かつ経済性、信頼性に優れた呼び出し用釦を備えたこと特徴とするエレベータかご内の通話装置を提供することができる。【選択図】図２
2010137983.tif 000002
【特許請求の範囲】
【請求項１】
エレベータかご内に設けられ釦側接触子を有する非常用押し釦と、この非常用押し釦が押圧されることに応じて前記釦側接触子と接触する通話装置側接触子を有し、前記接触時に外部通話装置との間の通信回線を接続して通話可能とするかご内通話装置と、前記非常用押し釦をかご内通話装置とは逆側に向けて押圧する弾性体とを有してなるエレベータの通話装置において、
前記非常用押し釦とかご内通話装置との間に設けられ、前記非常用押し釦の押圧速度が一定速度以下の緩速度の場合のみ前記非常用押し釦の釦側接触子と通話装置側接触子とが接触するよう収縮する収縮手段を設けてなることを特徴とするエレベータの通話装置。
【発明の詳細な説明】
【技術分野】
【０００１】
本発明は、エレベータの通話装置に関するものである。
【背景技術】
【０００２】
エレベータには、故障や停電のためにかご内に人が閉じ込められてしまった場合、かご内の人が外部の人に救助を求めることができるように、かご内と外部にそれぞれ通話装置を設けて通話ができるようにしているが、混雑時や荷物の搬入時に、人の体の一部あるいは荷物の突端部がかご内の通話装置の呼び出し用釦に不意に触れることで、誤って外部通話装置の呼び出しが行われてしまう場合がある。
【０００３】
一方で通話装置は故障や停電等の非常時に確実に動作しなければならないため、長期的に高い信頼性が要求されるものである。
【０００４】
従って従来では、エレベータかご内の通話装置の呼び出し用釦を誤って押した場合に、外部通話装置の呼び出しが行われるのを防ぐために、呼び出し用釦が一定時間以上連続で押された場合のみ呼び出しが行われるようにする方法が発明されている（特許文献１参照）。
【特許文献１】特開２００８−１４３６７３号公報
【発明の開示】
【発明が解決しようとする課題】
【０００５】
しかし前記従来における通話装置では、釦の一定時間押し下げ時限カウント用の制御回路が必要となることから、製造コストアップや、その信頼性を確保するための保守頻度が高くなることによるコストアップなどの不都合があった。
【０００６】
本発明の目的は、上記の問題点を考慮した上で、誤動作が少なく、かつ経済性、信頼性に優れた呼び出し用釦を備えたこと特徴とするエレベータかご内の通話装置を提供することにある。
【課題を解決するための手段】
【０００７】
上記目的を達成するために、本発明では、エレベータかご内に設けられ釦側接触子を有する非常用押し釦と、この非常用押し釦が押圧されることに応じて前記釦側接触子と接触する通話装置側接触子を有し前記接触時に外部通話装置との間の通信回線を接続して通話可能とするかご内通話装置と、前記非常用押し釦をかご内通話装置とは逆側に向けて押圧する弾性体とを有してなるエレベータの通話装置において、前記非常用押し釦とかご内通話装置との間に設けられ、前記非常用押し釦の押圧速度が一定速度以下の緩速度の場合のみ前記非常用押し釦の釦側接触子と通話装置側接触子とが接触するよう収縮する収縮手段を設けてなることを特徴とする。
【０００８】
本発明のエレベータかご内の通話装置によれば、前記非常用押し釦の押圧速度が一定速度以下の緩速度の場合のみ前記非常用押し釦の釦側接触子と通話装置側接触子とが接触するよう収縮する収縮手段を設けて構成したため、誤って瞬時のみ非常用押し釦の釦に触れた場合には、前記収縮手段により、両接触子の接触を防止し外部通話装置との通信回線を接続しないように構成したため、誤動作が少なく、かつ経済性、信頼性に優れた呼び出し用釦を備えたこと特徴とするエレベータかご内の通話装置を提供することができる。
【発明の効果】
【０００９】
本発明によれば、誤動作が少なく、かつ経済性、信頼性に優れた呼び出し用釦を備えたこと特徴とするエレベータかご内の通話装置を提供することができる。
【発明を実施するための最良の形態】
【００１０】
以下、本発明の実施の形態について図面を参照し、説明する。
【００１１】
図１は、本発明に係るエレベータの通話装置の全体構成図である。
【００１２】
エレベータかご１１内に設けたかご内操作盤１２上の非常用押し釦１３を押すと、通信回線１４を介して外部通話装置１５と接続され、それに応答した外部者と非常用押し釦１３を押したかご内乗客が、マイク・スピーカーユニット１６を用いて通話できる構成である。
【００１３】
図２は、実施形態におけるエレベータのかご内通話装置の要部拡大断面図である。
【００１４】
図２に示す通り、非常用押し釦１３の反押圧面側には、釦側接触子２５ａ，２５ｂが設けられている。
【００１５】
また、かご内通話装置２２は、前記非常用押し釦１３が押圧（図２中右側に変位）されることに応じて、前記釦側接触子２５ａ，２５ｂと接触する通話装置側接触子２６ａ，２６ｂを有しており、その接触時に外部通話装置１５との間の通信回線１４を接続して通話可能とするよう構成されている。
【００１６】
そして、かご内通話装置２２は、支持手段２３ａ、２３ｂを介して乗かご側板１１ａに取付けられるよう構成されている。
【００１７】
さらに、非常用押し釦１３をかご内通話装置２２とは逆側に向けて押圧する弾性体であるばね体２７が設けられており、乗客にて非常用押し釦１３が押圧されていないときには、非常用押し釦１３は図中左側の位置に保持され、通話装置２２による通話回線１４の接続を阻止している。
【００１８】
また、収縮手段２４が、前記非常用押し釦１３とかご内通話装置２２との間に設けられ、前記非常用押し釦の押圧速度が一定速度以下の緩速度の場合のみ前記非常用押し釦１３の釦側接触子２５ａ，２５ｂと通話装置側接触子２６ａ，２６ｂとが接触するよう構成している。
【００１９】
従って、誤って瞬時のみ非常用押し釦１３に触れた場合には、前記収縮手段２４により、両接触子２５ａ，２５ｂと２６ａ，２６ｂとの接触を防止し外部通話装置１５との通信回線１４を接続しないように構成したため、誤動作が少なく、かつ経済性、信頼性に優れた呼び出し用釦を備えたこと特徴とするエレベータかご内の通話装置を提供することができる。
【００２０】
なお、前記収縮手段２４の押圧速度が一定速度以下の緩速度の場合のみというのは、非常用押し釦１３をゆっくり強く押した場合は、収縮手段２４が変形、圧縮され、２５ａ，２５ｂの呼び出し用釦側接触子と２６ａ，２６ｂの通話装置側接触子とを短絡（接触）することである。
【００２１】
一方で、人の体や荷物の突端部が非常用押し釦１３に不意に触れた場合には、触れた衝撃で押圧速度が一定速度以上となるため、収縮手段２４が硬化し、非常用押し釦１３が押し下げられないために、外部通話装置１５の呼び出しは行われない。
【００２２】
注意銘板２９には、エレベータの乗客に非常用押し釦１３を押す際は、ゆっくり強く釦を押すという使用方法を認識してもらうために、非常用押し釦１３の近傍に貼り付けたものである。
【００２３】
なお、前記ゆっくり押すと変形し、早く押すと硬くなって変形しない収縮手段２４の素材としては、密閉性と弾力性を備えたビニール等に細かい砂と水を詰めたものが、上記のような特性を有するためこれを使用するか、あるいは同様の性能を有する他の素材を使用する。
【００２４】
この他にも粒子あるいは分子の大きさが異なる２種類の物質を密閉したものであれば、同様の性質が得られるため使用することができる。また、ディースリーオー（ｄ３ｏ）も同様の特性を有しているため使用することができる。
【図面の簡単な説明】
【００２５】
【図１】本発明に係るエレベータのかご内通話装置の全体構成図。
【図２】本発明に係るエレベータのかご内通話装置の要部拡大断面図。
【符号の説明】
【００２６】
１１エレベータ乗かご
１２  かご内操作盤
１３  非常用押し釦
１４  通信回線  
１５  外部通話装置
２４  ２２  かご内通話装置
１１ａ  かご側板
２４  収縮手段
２５ａ  釦側接触子
２５ｂ  釦側接触子
２６ａ  通話装置側接触子
２６ｂ  通話装置側接触子
２７  弾性体
２９  貼付銘板
【図１】
2010137983.tif 000003
【図２】
2010137983.tif 000004